Podtech/llm-jp-corpus-v4-ja_patent huggingface dataset:
(57)【要約】【課題】低騒音、低振動であり、安価に施工することができる、地盤改良方法を提供することを目的とする。【解決手段】（ａ）先端に加圧板を有する加圧具を、回転しながら地盤中に貫入する工程と、（ｂ）前記加圧具を回転させずに地盤中で押し下げて前記加圧具下方の地盤を圧密する工程と、（ｃ）前記加圧具を（ａ）とは逆方向に回転しながら地盤中で引き上げる工程と、前記（ｂ）（ｃ）を複数回繰り返すことにより、地盤中を高さ方向に圧密して改良体を構築する、地盤改良方法。【選択図】図１
2014177796.tif 000002
【特許請求の範囲】
【請求項１】
（ａ）先端に加圧板を有する加圧具を、回転しながら地盤中に貫入する工程と、
（ｂ）前記加圧具を回転させずに地盤中で押し下げて前記加圧具下方の地盤を圧密する工程と、
（ｃ）前記加圧具を（ａ）とは逆方向に回転しながら地盤中で引き上げる工程と、
前記（ｂ）（ｃ）を複数回繰り返すことにより、地盤中を高さ方向に圧密して改良体を構築する、
地盤改良方法。
【発明の詳細な説明】
【技術分野】
【０００１】
本発明は、小規模住宅における地盤改良方法に関するものである。
【背景技術】
【０００２】
近年、小規模住宅における地盤改良として、立地条件の不良な軟弱層に支持杭を打設することが盛んに行われている。
支持杭としては、木製杭や鋼管杭、コンクリートパイル等が用いられている。
【発明の概要】
【発明が解決しようとする課題】
【０００３】
これら従来の支持杭による地盤改良方法は、以下のような問題点がある。
（１）木製杭や鋼管杭は地表から地盤中に貫入するものであるため、貫入時の騒音、振動が問題となる。
（２）鋼管杭やコンクリートパイルは自然材ではないため、環境への負担が大きく、土地の価値がさがる。
（３）いずれの支持杭においても、材料費、部材費が発生する。
【０００４】
本発明は、低騒音、低振動であり、安価に施工することができる、地盤改良方法を提供することを目的とする。
【課題を解決するための手段】
【０００５】
上記目的を達成するためになされた本願の第１発明は、（ａ）先端に加圧板を有する加圧具を、回転しながら地盤中に貫入する工程と、（ｂ）前記加圧具を回転させずに地盤中で押し下げて前記加圧具下方の地盤を圧密する工程と、（ｃ）前記加圧具を（ａ）とは逆方向に回転しながら地盤中で引き上げる工程と、前記（ｂ）（ｃ）を複数回繰り返すことにより、地盤中を高さ方向に圧密して改良体を構築する、地盤改良方法を提供する。
【発明の効果】
【０００６】
本発明は、上記した課題を解決するための手段により、次のような効果の少なくとも一つを得ることができる。
（１）加圧具には振動や打撃力を付与しないため、低騒音、低振動で施工できる。
（２）鋼管杭やコンクリートパイルを用いないため、環境への負担が小さく、土地の価値が下がることがない。
（３）杭の材料費や部材費が発生しないため、安価に構築することができる。
【図面の簡単な説明】
【０００７】
【図１】本発明の地盤改良方法による改良体の説明図
【図２】加圧具の説明図
【図３】地盤改良方法の説明図
【発明を実施するための形態】
【０００８】
以下、図に示す実施例に基づき、本発明を詳細に説明する。
【実施例１】
【０００９】
（１）改良体
本発明の地盤改良方法は、地盤中に改良体１を構築することにより地盤改良を行うものである。（図１）
改良体１は地盤内において、所定の間隔の深さで複数回地盤を圧密することにより構築する。
【００１０】
（２）加圧具
加圧具２は、回転軸２１と、回転軸２１の下端に設ける加圧板２２と、からなる。
回転軸２１は鋼製の棒体であり、上端を従来用いられている杭打機に取り付ける構成とする。
加圧板２２は螺旋状であり回転軸２１を一周するように取り付ける。加圧板２２は平面視したときの半径を５０センチとする。
【００１１】
（３）圧密方法
地盤の圧密は、地盤中に加圧具２の加圧板２２を配置した状態で、回転軸２１を下方に押し込むことで加圧具２全体を押し下げて行う。これにより、加圧板２２の下方及びその周囲の地盤が圧密される。
【００１２】
（４）改良体の構築方法
（４−１）加圧具の貫入
加圧具２の回転軸２１を杭打機（図示しない）に取り付けて、回転軸２１および加圧板２２を回転させながら、地盤中に貫入する。
加圧板２２は螺旋状であるため、地盤中で深さ方向に進み、周囲の地盤を必要以上に乱すことがない。
加圧板２２が所定の深さ（２〜４ｍ）になるまで貫入する。
【００１３】
（４−２）圧密
所定の深さまで加圧具２を貫入した後、加圧具２を回転させずに、回転軸２１とともに加圧板２２を押し下げて圧密し、改良体１の下端を構築する。
押し下げる力や加圧時間は改良体１を構築しようとする地盤の質により異なるが、砂地盤の場合には５０ｋＮを基準とする。
このとき加圧具２には振動や打撃力を付与しないため、低騒音、低振動で施工することができる。
【００１４】
（４−３）引き抜き、圧密
下端の圧密が完了したら、加圧具２を貫入時とは逆方向に回転しながら引き抜き、加圧板２２を地盤中で引き上げていく。
加圧板２２は螺旋状に配置しているため、引き抜き時にも周囲の地盤を必要以上に乱すことがない。
そして、前回加圧終了した位置から５０ｃｍの深さだけ上昇した位置で、再度加圧具２を押し下げて圧密する。
これにより、加圧板２２から下方が改良体１となる。
そして、加圧具２の引き抜きと押し下げによる圧密を繰り返すことにより、地盤中に改良体１を構築する。
このように、鋼管やコンクリート等のその他の部材を使用しないため、環境への負担が小さく、土地の価値が下がることがない。また、材料費、部材費等が発生せず、安価に構築することができる。
改良体１の上部が、下方の圧密により他の地表面より陥没してしまう場合には、現場発生土などで埋め戻しを行う。
【００１５】
（４−４）地盤の改良
改良体１は地盤を押し下げて圧密するため、加圧板２２の下方のみでなく、その周囲の地盤も圧密される。
よって、改良体１を所定の間隔、例えば２ｍの間隔をもって並列して構築することにより、改良体１の部分だけではなく、複数の改良体１の間も締め固められることになる。
これにより、地盤全体を改良することができる。
【符号の説明】
【００１６】
１      改良体
２      加圧具
２１    回転軸
２２    加圧板
【図１】
2014177796.tif 000003
【図２】
2014177796.tif 000004
【図３】
2014177796.tif 000005
(57)【要約】      （修正有）【課題】騒音の発生源への施工によって費用を低く抑えることができ、ロングレール化が難しい事象があっても、施工が簡単な鋼製鉄道橋の騒音低減工法を提供する。【解決手段】鋼製鉄道橋のレール８の継ぎ目８Ａの底部に、制振材９（例えば、ゴムラテックスモルタル、コンクリート、厚みのある剛体からなる部材など）を設置（例えば、敷設）する。【選択図】図３
2014177759.tif 000002
【特許請求の範囲】
【請求項１】
鋼製鉄道橋のレールの継ぎ目の箇所に制振材を設置することを特徴とする鋼製鉄道橋の騒音低減工法。
【請求項２】
請求項１記載の鋼製鉄道橋の騒音低減工法において、前記制振材がゴムラテックスモルタルであることを特徴とする鋼製鉄道橋の騒音低減工法。
【請求項３】
請求項１記載の鋼製鉄道橋の騒音低減工法において、前記制振材がコンクリートであることを特徴とする鋼製鉄道橋の騒音低減工法。
【請求項４】
請求項１記載の鋼製鉄道橋の騒音低減工法において、前記制振材が厚みのある剛体からなる部材であることを特徴とする鋼製鉄道橋の騒音低減工法。
【発明の詳細な説明】
【技術分野】
【０００１】
本発明は、鋼製鉄道橋の騒音低減工法に関するものである。
【背景技術】
【０００２】
従来、鋼製鉄道橋において敷設されるレールは夏は高温、冬は低温に晒される環境にあり、かかるレールの寒暖による伸縮に対応するために適当な長さのレールを継目を設けて配置して敷設するようにして、レールの盛り上がりなどを防止するようにしている。なお、鋼製鉄道橋はロングレール縦荷重を考慮しないで設計されることが多く、継目をなくしてロングレール化することは困難である。
【０００３】
また、鋼製鉄道橋において、防蝕効果と騒音低減効果とを有するゴムラテックス混入モルタルを用いて、鋼製鉄道橋の防蝕と騒音低減を図るようにした種々の鋼製鉄道橋について提案されてる（下記特許文献１〜３、非特許文献１参照）。
【先行技術文献】
【特許文献】
【０００４】
【特許文献１】特開２００６−２９９７３５号公報
【特許文献２】特開２０１０−０４７８９５号公報
【特許文献３】特開２０１０−０４７８９６号公報
【非特許文献】
【０００５】
【非特許文献１】石渡正夫  他３名，「低騒音鉄道橋の建設と載荷試験」，川崎製鉄技報  Ｊｕｌｙ  １９７６  ｐｐ．１０９−１２１
【発明の概要】
【発明が解決しようとする課題】
【０００６】
しかしながら、上記した鋼製鉄道橋の騒音低減工法は、ゴムラテックス混入モルタルを広い範囲に施工しなければならず、その費用が高くなり、施工が難しいといった問題があった。
本発明は、上記状況に鑑みて、騒音の発生源への施工によって、費用を低く抑えることができ、かつ施工が簡単な鋼製鉄道橋の騒音低減工法を提供することを目的とする。
【課題を解決するための手段】
【０００７】
本発明は、上記目的を達成するために、
〔１〕鋼製鉄道橋の騒音低減工法において、鋼製鉄道橋のレールの継ぎ目の箇所に制振材を設置することを特徴とする。
〔２〕上記〔１〕記載の鋼製鉄道橋の騒音低減工法において、前記制振材がゴムラテックスモルタルであることを特徴とする。
【０００８】
〔３〕上記〔１〕記載の鋼製鉄道橋の騒音低減工法において、前記制振材がコンクリートであることを特徴とする。
〔４〕上記〔１〕記載の鋼製鉄道橋の騒音低減工法において、前記制振材が厚みのある剛体からなる部材であることを特徴とする。
【発明の効果】
【０００９】
本発明によれば、騒音の発生源への施工によって、費用を低く抑えることができ、かつ施工が簡単な鋼製鉄道橋の騒音低減工法を提供することができる。
【図面の簡単な説明】
【００１０】
【図１】本発明の実施例を示す鋼製鉄道橋の斜視図である。
【図２】本発明の実施例を示す鋼製鉄道橋の断面図である。
【図３】本発明の実施例を示す鋼製鉄道橋の騒音低減工法を施す箇所を示す図である。
【発明を実施するための形態】
【００１１】
本発明の鋼製鉄道橋の騒音低減工法は、鋼製鉄道橋のレールの継ぎ目の箇所に制振材を設置するようにした。
【実施例】
【００１２】
以下、本発明の実施の形態について詳細に説明する。
図１は本発明の実施例を示す鋼製鉄道橋の斜視図、図２はその鋼製鉄道橋の断面図、図３はその鋼製鉄道橋の騒音低減工法を施す箇所を示す図である。
これらの図において、１は基礎、２は基礎１上に敷設され、下路合成桁を支えるベース鋼板、３はベース鋼板２上に形成されるベースゴムラテックスモルタル、４は下路合成桁、５は下路合成桁４の鋼板、６は下路合成桁４の鋼板５の両面に形成されるゴムラテックスモルタル、７は下路合成桁４上に構築される軌道路、８はレールである。
【００１３】
ここで、鋼製鉄道橋に敷設されるレール８にはレールの継目８Ａがあり、このレールの継目８Ａが列車走行時の主な騒音源となる。
そこで、本発明では、そのレールの継目８Ａの底部に制振材（例えば、ゴムラテックスモルタル、コンクリート、厚みのある剛体からなる部材など）９を設置（例えば、敷設）する。
【００１４】
このように構成すると、列車の走行時の騒音の発生源であるレール８の継目８Ａでの振動が抑えられて鋼製鉄道橋の列車の走行時の騒音の低減を図ることができる。
このように、本発明によれば、騒音の発生源への施工によって費用を低く抑えることができ、かつ施工が簡単な鋼製鉄道橋の騒音低減工法を提供することができる。
また、鋼橋の騒音低減について、ロングレール化が難しい事象があっても、本発明によれば、鋼製鉄道橋の騒音低減を図ることができる。
【００１５】
なお、本発明は上記実施例に限定されるものではなく、本発明の趣旨に基づき種々の変形が可能であり、これらを本発明の範囲から排除するものではない。
【産業上の利用可能性】
【００１６】
本発明の鋼製鉄道橋の騒音低減工法は、騒音の発生源への施工で、費用を低く抑えることができ、かつ施工が簡単な鋼製鉄道橋の騒音低減方法として利用可能である。
【符号の説明】
【００１７】
１    基礎
２    基礎上に敷設され、下路合成桁を支えるベース鋼板
３    ベース鋼板上に形成されるベースゴムラテックスモルタル
４    下路合成桁
５    下路合成桁の鋼板
６    下路合成桁の鋼板の両面に形成されるゴムラテックスモルタル
７    下路合成桁上に構築される軌道路
８    レール
８Ａ    レールの継目
９    制振材
【図２】
2014177759.tif 000003
【図３】
2014177759.tif 000004
【図１】
2014177759.tif 000005
(57)【要約】【課題】本発明は、小鳥の食べ残した餌から餌に混入する空き殻だけを取り除き残った餌を再度使用する、小鳥の餌ふるい器を提供する。【解決手段】器（１）に食べ残しの餌を入れ、上ふた（２）を閉じ、吹き穴（３）から息を吹き入れ、通風口（４）から器（５）へ空き殻を移し、トレー（６）から空き殻を捨て、周囲に飛び散らさないことを特徴とする。【選択図】図１
2014135950.tif 000002
【特許請求の範囲】
【請求項１】
器（１）に鳥の食べ残しの餌を入れ、吹き穴（３）から空気を吹き込み餌に混入する空き殻を器（５）に移す、鳥の餌と空き殻の分別器。
【発明の詳細な説明】
【技術分野】
【０００１】本発明は、小鳥の食べ残した餌から餌の中に混入する空き殻だけを取り除き残った餌を再度、使用するものである。
【背景技術】
【０００２】従来、食べ残した餌は器を持ち息を吹いて餌の中に混入する空き殻を吹き飛ばして取り除いていた。
【先行技術文献】
【特許文献】
【０００３】
【特許文献１】
【発明の概要】
【発明が解決しようとする課題】
【０００４】これは次のような欠点があった。
（イ）従来、小鳥の食べ残した餌から餌に混入する餌の空き殻を取り除く時、器を持ち息を吹きかけていたが、空き殻が周囲に飛び散り後の処理が大変であった。
（ロ）空き殻の混入したまま餌を捨て、無駄があった。
本発明は、以上のような欠点をなくすためになされたものである。
【課題を解決するための手段】
【０００５】器（１）に食べ残しの餌を入れ、上ふた（２）を閉じ、吹き穴（３）から息を吹き入れ、痛風口（４）から器（５）へ空き殻を移し、トレー（６）から空き殻を捨てるものである。
本発明は、以上の構成による小鳥の餌ふるい器である。
【発明の効果】
【０００６】（イ）小鳥の食べ残しの餌からの空き殻の周囲への飛び散りがなくなった。
（ロ）空き殻の混入した餌をそのまま捨てる無駄がなくなった。
【図面の簡単な説明】
【０００７】
【図１】本発明の透視斜視図である。
【図２】本発明の斜視図である。
【発明を実施するための形態】
【０００８】以下、発明を実施するための形態について説明する。
四角の器（１）の上に四角のふた（２）を設け、２０ｍｍの吹き穴（３）を設ける。
器（１）と四角の器（５）との間に四角の痛風口（４）を設け器（５）の下部にトレー（６）を設ける。本発明は、以上のような構造である。
本発明を使用する時は、ふた（２）を上げて器（１）の中に食べ残しの小鳥の餌を入れ、ふた（２）を閉め、吹き穴（３）より息を吹く。
餌の中に混入する餌の空き殻だけが痛風口（４）を通って器（５）の下部に設けたトレー（６）に溜まる。
本発明を下部斜めに傾けるとトレー（６）にある空き殻を捨てられる。
本発明により空き殻を周囲に飛び散らせることなく、餌と空き殻を分別できる。
網（８）により舞い上がった空き殻が口に付くのを防ぐことができる。
【符号の説明】
【０００９】１  器
２  上ふた
３  吹き穴
４  痛風口
５  器
６  トレー
７  痛風口
８  網
【図１】
2014135950.tif 000003
【図２】
2014135950.tif 000004
(57)【要約】      （修正有）【課題】体毛に付着する身体から発生する汗（乳酸・尿素など）、皮脂（脂肪酸・トリグリセライドなど）、老化した角膜（フケ）、大気中の塵や埃などに対して、効果的に体毛を洗浄することができる体毛洗浄用手袋を提供する。【解決手段】体毛洗浄用手袋の素材にマイクロファイバー（ｍｉｃｒｏｆｉｂｅｒ）１を使用し、手首部分にゴム２を使用する。【選択図】図１
2014144237.tif 000002
【特許請求の範囲】
【請求項１】
体毛洗浄用手袋の素材にマイクロファイバー（ｍｉｃｒｏｆｉｂｅｒ）（１）とゴム（２）を設けたマイクロファイバー（ｍｉｃｒｏｆｉｂｅｒ）製体毛洗浄用手袋。
【発明の詳細な説明】
【技術分野】
【０００１】  この発明は、マイクロファイバー（ｍｉｃｒｏｆｉｂｅｒ）製体毛洗浄用手袋に関するものである。
【背景技術】
【０００２】  従来の体毛洗浄用手袋の素材は、綿・絹・ポリエステル・ポリウレタン・ポリエステル・ナイロンなどの繊維を使用して作られていた。
【先行技術文献】
【特許文献】
【０００３】
【特許文献１】
【発明の概要】
【発明が解決しようとする課題】
【０００４】  これは次のような欠点があった。  従来の体毛洗浄用手袋には、体毛に付着する身体から発生する汗（乳酸・尿素など）、皮脂（脂肪酸・トリグリセライドなど）、老化した角膜（フケ）、大気中の塵や埃などに対して、効果的に体毛を洗浄することが難しかった。  本発明は、以上のような課題をなくすためになされたものである。
【課題を解決するための手段】
【０００５】  体毛洗浄用手袋の素材にマイクロファイバー（ｍｉｃｒｏｆｉｂｅｒ）（１）を使用する。  手首部分にゴム（２）を使用する。  本発明は、以上の構成よりなるマイクロファイバー（ｍｉｃｒｏｆｉｂｅｒ）を使用した体毛洗浄用手袋である。
【発明の効果】
【０００６】  マイクロファイバー（ｍｉｃｒｏｆｉｂｅｒ）は化学的に組成された８マイクロメートル以下の極細のナイロンやポリエステルなどの繊維である。繊維断面が鋭角や多角形の形状をなしているため、きわめて細かいチリを繊維表面に取り込む性能を持つ。  その機能性を活かして体毛の洗浄を行うことにより、従来成し得ることができなかった体毛に付着する身体から発生する汗（乳酸・尿素など）、皮脂（脂肪酸・トリグリセライドなど）、老化した角膜（フケ）、大気中の塵や埃などに対して、効果的に体毛を洗浄することができる。
【図面の簡単な説明】
【０００７】
【図１】本発明の正面図である。
【発明を実施するための形態】
【０００８】  以下、本発明を実施するための形態について説明する。  体毛洗浄用手袋の素材にマイクロファイバー（ｍｉｃｒｏｆｉｂｅｒ）（１）を使用する。  マイクロファイバー（ｍｉｃｒｏｆｉｂｅｒ）（１）を人間の手に装着できる形状に裁断する。  手首部分にゴム（２）を使用する。  裁断したマイクロファイバー（ｍｉｃｒｏｆｉｂｅｒ）（１）を重ね合わせて縫製し、人間の手に装着できる形状とする。  本発明は、以上のような構造である。  これを使用する時は、マイクロファイバー（ｍｉｃｒｏｆｉｂｅｒ）製体毛洗浄用手袋を手に装着してから体毛の洗浄をはじめればよい。
【符号の説明】
【０００９】１  マイクロファイバー（ｍｉｃｒｏｆｉｂｅｒ）２  ゴム
【図１】
2014144237.tif 000003
(57)【要約】      （修正有）【課題】電気や光熱暖房器を使わず寒さを防ぎながら安眠を誘うエコな対策を提供する。【解決手段】ダンボールを横長に使い上からひざ掛け毛布２をかぶせ寒さと明るさを遮断する。【選択図】図２
2014144235.tif 000002
【特許請求の範囲】
【請求項１】
マチを取り除いたダンボール箱に、布をコーティングして横長に設置し、上からひざ掛け毛布を被せ、その中に枕を設置したことを特徴とする防寒兼安眠枕用箱。
【発明の詳細な説明】
【技術分野】
【０００１】本発明は眠っているときに頭、顔、肩が寒いのを電気や光熱暖房器を使わず、なおかつ暗い中にあって安眠を誘うよう枕を入れる箱に関するものである。
【背景技術】
【０００２】従来、防寒の為に毛布などで布団や布団カバーや枕カバーなどを使用しても夜中、暖房を切ってからは頭、顔、肩が冷たくなって眠りを妨げられていた。
【先行技術文献】
【特許文献】
【０００３】
【特許文献１】
【発明の概要】
【発明が解決しようとする課題】
【０００４】  冬に眠っていて寒くて目をさまし、頭、顔、肩が冷たくなっているので布団をかぶってもすぐに息苦しくなって布団を剥ぐので朝までこれを繰り返し安眠を妨げられていた。
本発明は、以上の問題点を解決するために考案されたものである。
【課題を解決するための手段】
【０００５】上記問題点を解決するため本発明は、マチを取り除いたダンボール箱に布をコーティングして横長に設置し、上からひざ掛け毛布を被せその中に枕を設置したことを特徴とする防寒兼安眠枕用箱である。
大きな箱の中に枕を入れて上から毛布がカーテンのように掛け布団の上にかかり保温され、毛布はクリップでとめるので、顔にもかからず息苦しくなく、しかも暗いので安眠を誘う。
【発明の効果】
【０００６】  箱の中で空間が広いので息苦しくなく、自分の息で暖かく、そして暗いので安眠効果も誘う。
【図面の簡単な説明】
【０００７】
【図１】  本発明の斜視図
【図２】  本発明の使用状態を示す斜視図
【発明を実施するための形態】
【０００８】  以下、本発明の実施の形態を説明する。
（イ）  ダンボール箱のマチを取り除き、底も切り取りそれぞれ布でコーティングする。
（ロ）  箱を横長にして両脇の中心から内側に折込みたためるようにする。
（ニ）  （１）の箱を広げて中に（６）を入れてから横長にして上から（２）を載せ固定        する。
（ホ）  （３）に届くように（２）を伸ばし先端に（５）をつける。
本発明は以上のような構造である。
本発明を使用するときは、折りたたんである（１）を広げ（６）を敷いてから横長にして箱の中に（４）を入れ、上から（２）をたらし（３）まで伸ばし（５）でとめる。
【符号の説明】
【０００９】１  布でコーティングされたダンボール、２  ひざ掛け毛布、３  掛け布団カバー
４  枕、５  クリップ、６  布でコーティングされたダンボールの底
【図１】
2014144235.tif 000003
【図２】
2014144235.tif 000004
(57)【要約】【課題】  ホームベースに測定物を一体にして、実践に近い形で練習に取り組めるようにした測定物つきホームベースを提供する。【解決手段】  ホームベース（１）の鋭角部分付近に測定物（３）を設けて容易に塁間を測定出来ることを特徴とする。【選択図】図１
2014144231.tif 000002
【特許請求の範囲】
【請求項１】
野球のホームベース（１）に測定具（３）の先端部分をホームベースの鋭角部分に合わせて設けた測定具つきホームベース。
【請求項２】
測定具（３）の他の先端部分に設けた部材（６）で巻き取った測定具（３）をホームベース（１）の内部に収納し、ホームベース（２）で蓋をするように構成した測定具つきホームベース。
【請求項３】
測定具（３）の巻尺の帯部分に用途に応じた種目のホームベースからの塁間距離と塁名と種目名を明記した測定具つきホームベース。
【発明の詳細な説明】
【技術分野】
【０００１】  本発明は、野球のホームベースに巻尺等の測定具を一体化させた測定具つきホームベースに関するものである。
【背景技術】
【０００２】  従来、ホームベースと測定具は別々になっていた。
【先行技術文献】
【０００３】
【特許文献１】
【発明の概要】
【発明が解決しようとする課題】
【０００４】  これは次のような欠点があった。
従来、ホームベースから塁間の距離を測るときは、測定具を別途必要として、面倒であったり、距離が覚えにくい長さであったり、適当な距離で練習をするなど実践形式で練習することが困難であった。
本発明は、以上のような欠点をなくすために考えたものである。
【課題を解決するための手段】
【０００５】  上記問題点を解決するため本発明は次のように構成したものである。
野球のホームベースに測定具の先端部分をホームベースの鋭角部分に合わせて設けて、測定具の他の先端部分に設けた部材で巻き取った測定具をホームベースの内部に収納し、蓋をする。
測定具に野球用、ソフトボール用などのルール上の塁間の距離と塁名と種目を明記する。
本発明は、以上の構成の測定具つきホームベースである。
【発明の効果】
【０００６】  測定具が必要になったときでも、ホームベースと測定物が一体となっているので、探す手間が省ける。
長さが覚えにくいことを防止して、実践形式で練習に取り組める。
【図面の簡単な説明】
【０００７】
【図１】本発明の全体図である。
【図２】本発明の分解斜視図である。
【発明を実施するための形態】
【０００８】  以下、本発明の実施するための形態について説明する。
ホームベース（１）に帯状の測定具（３）の端をホームベース（１）の鋭角部分の角度に合わせた形状にして頂点に設けて、止め具（５）で止めて、測定具（３）の一方の先端部分の部材（６）を収納していたホームベース（１）の内部から取り出し、測定具（３）に合わせてホームベース（１）の前面板と側板に孔を設けて（図２（ａ））そこに測定具（３）を通して、用途に応じた種目（野球、ソフトボールなど）の測定具（３）の線（４）の下に記されている塁間距離までもっていき、測る。なお一、三塁の距離を測る際は、止め具を中心とする円運動をさせて、中心線をホームベース（１）の鋭角部分の形状に一致させて測る。
測定が終了すれば、部材（６）を回転させて測定具を巻き取り、ホームベース（１）の内部にある部材（７）に（６）を嵌めて収納する（図２（ａ））。次にホームベース（２）で蓋をする（図２（ｂ））。
本発明は、以上のような構造である。
【符号の説明】
【０００９】１  測定具つきのホームベースの底部
２  ホームベースの蓋部
３  測定具
４  測定具に記されている線
５  止め具
６  測定物の先端部分の部材
７  １の内部の部材
【図１】
2014144231.tif 000003
【図２】
2014144231.tif 000004
(57)【要約】【課題】  マスクの布や紙と顔の皮膚との間の隙間による花粉や病原菌の吸入や、呼気による眼鏡の曇りを防止する。【解決手段】  マスクの布や紙（２）の隅に皮膚貼付用粘着剤（３）を適当な幅で付け、マスクを顔の皮膚と密着させ、隙間を減少させる。使用前に粘着剤の粘着力が減少するのを防ぐため、両面テープに使われているような剥離紙を取り付け、使用するときに剥離紙を取り除き、顔面に密着させる。【選択図】図１
2014144238.tif 000002
【特許請求の範囲】
【請求項１】
花粉や病原菌などの吸入伝染を防ぐために鼻や口を覆うマスクの紙や布等の顔面に接触する面の隅に、呼吸による空気が漏れないように、皮膚貼付用の粘着剤を付けたことを特徴とする衛生用具。
【発明の詳細な説明】
【技術分野】
【０００１】  本発明は、花粉や病原菌などの吸入伝染を防ぐために鼻や口を覆う衛生用品に関するものである。
【背景技術】
【０００２】  従来、布製や紙製の使い捨てマスクは顔面に密着させるため、マスクの鼻に当たる部分に針金が入っているものが多かった。
【発明の開示】
【発明が解決しようとする課題】
【０００３】  これは、次のような欠点があった。マスクに針金が入っていても、顔面の皮膚とマスクの間にわずかな隙間が生じ、その隙間から花粉や病原菌を吸入することが多かった。【０００４】  また、眼鏡をかけている場合、呼気がこの隙間から眼鏡に当たり、眼鏡が曇ることがあった。
【課題を解決するための手段】
【０００５】  上記課題を解決するために、本発明によるマスクは、布や紙（２）の顔と接触する面の隅に皮膚貼付用の粘着剤（３）を付けたものである。
【発明の効果】
【０００６】  本発明のマスクによれば、顔面の皮膚とマスクの隙間が少なくなり、花粉や病原菌の吸入が減少し、眼鏡が曇ることも軽減する。
【発明を実施するための最良の形態】
【０００７】  以下、本発明を実施するための最良の形態について説明する。【０００８】  従来から使われている布製や紙製のマスクの顔面に接触する面の上下左右の隅に、適当な幅で人体に無害な皮膚貼付用の粘着剤を付ける。【０００９】  使用前に粘着剤の粘着力が減少するのを防ぐため、両面テープに使われているような剥離紙を取り付け、使用するときに剥離紙を取り除き、顔面に密着させる。【００１０】  顔面の動きにより、皮膚とマスクの間に隙間が生じることもあるので、従来からある針金を入れたマスクに粘着剤を付ければさらに効果が大きくなる。【００１１】  粘着剤による違和感を軽減するため、マスクの上側だけ、または上側と左右のみ粘着剤を付けてもよい。
【図面の簡単な説明】
【００１２】
【図１】  上下左右に粘着剤を付けた本発明のマスク
【図２】  上側のみ粘着剤を付けた本発明のマスク
【図３】  上側と左右に粘着剤を付けた本発明のマスク
【符号の説明】
【００１３】  １  マスクの紐
２  マスクの布や紙
３  皮膚貼付用粘着剤（斜め格子の部分）
４  本発明である皮膚貼付用粘着剤付きマスク
【図１】
2014144238.tif 000003
【図２】
2014144238.tif 000004
【図３】
2014144238.tif 000005
(57)【要約】【課題】開口部を巻き込んで防水するロール式の防水バックは防水するために開口部の２０％〜３０％の深さはデッドキャパに成る。この結果袋の高さが深くなり開口部からの収納物の出し入れが困難である。【解決手段】止水ファスナーを開口部に接続して取り付け収納物の出し入れの際は開口部と連続して壁面までファスナー部分が開きロール式防水であっても底の出し入れが容易となった。【選択図】図５
2014144234.tif 000002
【特許請求の範囲】
【請求項１】
口許を巻き込んで防水するロール式の防水バック、ザックに於いて本体開口部に止水ファスナーを接続して取り付け、ファスナーを開くと本体開口部と止水ファスナーの開口部が連続して開口することを特徴とするロール式防水バック及びザック。
【発明の詳細な説明】
【技術分野】
【０００１】旅行アウトドアースポーツに携行する防水バック及びザックに於いて開口部を巻き込んで防水するロール式の防水方法を採るバックに関する。
【背景技術】
【０００２】防水バックやザックの防水方法に関して大別すると、防水ファスナーを用いる方法と耐水を有する生地で仕立てた巾着袋の口元幅全体を巻き込んで防水するロール式との２つが有る。
本発明は後者のロール式防水方法に属する。
近年  従来の真鍮コイルバネを内蔵した一体成形ゴムの防水ファスナーとは別に軽便で安価な市場性の広い止水ファスナーが市販されている。
この止水ファスナーが量産されたことで本発明の実用化が可能に成った。
止水ファスナーの構造は従来型のファスナーを表裏逆に使用しファスナーテープ部分にウレタン、アクリル、塩ビ樹脂の何れかを熱融着して止水したもので、耐水圧性能は低いが止水能力は有する。
最大の欠点はスライダーから入水する対策が施されていない。ノーマルスライダーの基本構造そのままを援用しているので唯一この部分からの入水が見られる。
本発明はこのスライダーの欠点を使用せず回避した防水方法を採用している。
【発明の概要】
【発明が解決しようとする課題】
【０００３】ロール式の防水バックは内部への入水を遮断する為に袋の口元から約２０〜３０％位の深さ迄ロール状に丸めて紡水効果を実行している。
この為大型で深い防水バックの場合口許に有るロールを戻して底に入れた収納物を取り出す際腕を入れても底にまで手が届かない場合が有る。
収納物を取り出すには口元を手繰る様にするがシャツの袖口が肩口まで擦り上がってしまう等の不便さが有る。
また防水生地は遮光性が高く袋の内部特に底部分は暗くて口許から覗き込んでも認識出来ず殆ど手探りで探す事になる。
【課題を解決する為の手段】
【０００４】口許の開口部に接続して直角に開く止水ファスナーを設ける。
止水ファスナーは袋口に向かって閉じる向きに取り付けるので入水の欠点であるスライダーも初めに口許からロール内に巻き込まれる。従って止水ファスナーのスライダーからの浸水は無く深い袋でも止水能力の有るテープ部分のみが露出する。
即ち口許に接続して直角の向きに溶着で取り付けた止水ファスナーのスライダーが底方向に向かって開くと防水袋の壁面が大きく開かれ口許と連続して開口するので収納物のアクセスが極めて便利である。
なお  止水ファスナーの設置を１本にするか複数にするか曲線形に装着するかは目的やサイズに依って適宜選択されるが利便性の格段な向上に変わりは無い。
【発明の効果】
【０００５】従来から市販されている防水ファスナーは主にドライスーツ等に用いられる防水ファスナーで真鍮のコイルバネを内蔵したインサート成形であり開閉の際スライダーの動きが重く極めて高価であった。しかしノーマルファスナーと同じ仕様で量産される安価な止水ファスナーの出現で開閉は円滑に成り防水袋壁面からのアクセスが可能となる。このファスナーの設置で使用上の利便性は大きく向上した。
例えば最近のアウトドアースポーツでは日常的に防水バックの中にパソコンを携行する。
従来の防水バックの構造では縦向きに収納したパソコンの形状から指先でつまんで深いバックの底から吊り上げる際指先に力が入りにくいので落とすことが有る。
また四角いパソコンの形状から袋の内面に角が当たって出し入れに不便さがあった。
壁面部に沿って本発明のファスナーが開かれると口許が３次元に開きこれらの不便さは解消される。
【図面の簡単な説明】
【０００６】
【図１】本発明のファスナー２本を取り付けた防水バックの正面図である。
【図２】防水機能を使用している防水バックの正面図である。
【図３】本発明のファスナーを２本取り付け全開した正面図である。
【図４】本発明のファスナーを１本取り付け全開した正面図である。
【図５】参考斜視図である。
【符号の説明】
【０００７】Ａ．    開口部にファスナーを接続したロール式防水バック本体。
Ｂ．    口許出し入れ口。
１１．  止水ファスナー。
１２．  止水ファスナーのスライダー。
１３．  ロール戻り止めバックル口許側。
１４．  ロール戻り止め受けバックル本体側。
１５．  溶着用力布。
１６．  ロール戻り止めバックル本体側。
【発明を実施するための形態】
【０００８】巾着袋形状を成す防水バックＡの中身出し入れ用の水平な口許に対して直角に止水ファスナー１１を取り付ける。この時止水スライダー１２は閉じた時口許側で閉まることとロール状に巻き込まれる際ファスナーの取り付け面はバックの内側に巻き込まれた方がスムーズである。
【実施例】
【０００９】巾着型防水袋Ａの非防水時の状態は袋の上部口許Ｂが開かれこれに接続した本発明の止水ファスナー１１はスライダー１２を底方向に下げることで袋口Ｂと壁面が連続して繋がり開口部は大きく開かれる。
この結果収納物の出し入れが容易に成る。
防水状態にするには止水ファスナー１１のスライダー１２を口許まで上げて閉め、口許の左右に有るロール戻り止めバックル１３の口許幅を芯棒に見立ててファスナーを巻き込みながら防水効果の出るまで２〜４回ロール状に巻く。左右の戻り止めバックル１３を本体側のバックル１４とそれぞれ接続してロールの両端を本体に係留する。さらに本体にあるロール戻りバックルの背側１６と表側バックル１６とを係留してロール全体を表から抑え込む。
【図１】
2014144234.tif 000003
【図２】
2014144234.tif 000004
【図３】
2014144234.tif 000005
【図４】
2014144234.tif 000006
【図５】
2014144234.tif 000007
(57)【要約】【課題】  フープ型ピアスの開口部の両端をしっかりつなぐための装身具フープの接続金具を提供する。【解決手段】  筒状金具本体（１）の中央上部に開口部（１０）を設け、筒状金具本体（１）の筒状部分の片側上部に、可動レバー（２）の軸となる小さな筒（５）を設け、小さな筒（５）を軸として動く可動レバー（２）を設け、可動レバー（２）に、凸部（４）と空間（１１）を設け、筒状金具本体（１）の筒状部分のもう片側上部に可動レバー（２）の空間（１１）の幅より少し大きい球（３）を設け、筒状金具本体（１）の挿入口（９）の反対側に、フープ本体（７）のうしろとなる側を取り付け、フープ本体（７）の前となるもう片側に、溝付き線（６）をとりつけたことを特徴とする。【選択図】図１
2014144236.tif 000002
【特許請求の範囲】
【請求項１】
筒状金具本体（１）の中央上部に開口部（１０）を設け、筒状金具本体（１）の筒状部分の片側上部に、可動レバー（２）の軸となる小さな筒（５）を設け、小さな筒（５）を軸として動く可動レバー（２）を設け、可動レバー（２）に凸部（４）と空間（１１）を設け、筒状金具本体（１）の筒状部分のもう片側上部に、可動レバー（２）の空間（１１）の幅より少し大きい球（３）を設け、筒状金具本体（１）の挿入口（９）の反対側にフープ本体（７）をとりつけ、フープ本体（７）のもう片側に溝付き線（６）をとりつけたことを特徴とする装身具フープの接続金具。
【発明の詳細な説明】
【技術分野】
【０００１】  この発明は、フープ型ピアスの開口部の両端をしっかりつなぐための装身具フープの接続金具に関するものである。
【背景技術】
【０００２】  従来、耳に直接付ける大きいタイプのフープ型ピアスの開口部の両端を接続する方法は、単に引っかけるものや遮断機式のものやひらいたままでピアスキャッチ式のものであった。
【先行技術文献】
【特許文献】
【０００３】
【特許文献１】  特開  ２００５−５２２９７号公報
【発明の概要】
【発明が解決しようとする課題】
【０００４】  これは次のような欠点があった。
従来、フープ型ピアスは小さめのものだと強度的には問題なかったが、大きくなればなるほど強度不足のためピアス本体が弱くなり、少しの力で広がってしまい変形しやすい。
耳たぶからはずれたり、紛失することもあった。
強度的に大きさに限界があった。
本発明は、以上のような欠点をなくすためになされたものである。
【課題を解決するための手段】
【０００５】  筒状金具本体（１）の中央上郁に開口部（１０）を設け、筒状金具本体（１）の筒状部分の片側上部に可動レバー（２）の軸となる小さな筒（５）を設け、小さな筒（５）を軸として動く可動レバー（２）を設け、可動レバー（２）に、凸部（４）と空間（１１）を設け、筒状金具本体（１）の筒状部分のもう片側上部に、可動レバー（２）の空間（１１）の幅より少し大きい球（３）を設け、筒状金具本体（１）の挿入口（９）の反対側にフープ本体（７）のうしろとなる側をとりつけ、フープ本体（７）の前側となるもう片側に溝付き線（６）をとりつけ、溝付き線（６）を挿入口（９）に差し込む。
本発明は、以上の構成よりなる装身具フープの接続金具である。
【発明の効果】
【０００６】  本発明の金具を使用すると本体が筒状なのでしっかり接続でき、がたつきが少なく強度が増して変形しにくくなる。
耳への取り付け、取り外しが容易である。
激しく動いても外れることがないので紛失しにくくなる。
今までできなかった大きなフープピアスが可能である。
デザインの幅が広がる。
金具を小さくスマートに作れるのでピアス本体のデザインを損ねることがない。
ピアスキャッチを使わないのでピアスキャッチを紛失する心配がない。
【図面の簡単な説明】
【０００７】
【図１】  本発明の接続されていない状態の全体の斜視図である。
【図２】  本発明の接続された状態の側面断面図である。
【図３】  本発明の接続されていない状態の側面断面図である。
【図４】  本発明の接続された状態の平面図である。
【図５】  本発明の接続されていない状態の平面図である。
【発明を実施するための形態】
【０００８】  以下、本発明の実施をするための形態について説明する。
筒状金具本体（１）中央上部に開口部（１０）を設ける。
筒状金具本体（１）の筒状部分の片側上部に、可動レバー（２）の軸となる小さな筒（５）を設ける。
小さな筒（５）を軸として動く可動レバー（２）を設ける。
可動レバー（２）に、凸部（４）とマーキス形の空間（１１）を設ける。
筒状金具本体（１）の筒状部分のもう片側上部に、可動レバー（２）の空間（１１）の幅より少し大きい球（３）に足をつけ、筒状金具本体（１）より少し浮かせて設ける。
フープ本体（７）のうしろとなる側に、筒状金具本体（１）の挿入口（９）の反対側をとりつける。
フープ本体（７）の前となるもう片側に、筒状金具本体（１）の筒の内径より少し細い溝付き線（６）をとりつける。
本発明は、以上のような構造である。
これを使用するときには、耳にとりつける部分である溝付き線（６）を耳たぶ（８）の前側より通して、筒状金具本体（１）の挿入口（９）から奥まで差し込む。
可動レバー（２）を球（３）に指で押しあてると、可動レバー（２）の空間（１１）が筒状金具本体（１）と球（３）の間に滑り込む。
可動レバー（２）の空間（１１）は、弾力性を有する材料で作られているので元の形状に復元し、可動レバー（２）が固定される。
そのとき、凸部（４）と溝付き線（６）の溝がかみ合い、溝付き線（６）が抜けなくなる。
はずすときは、可動レバー（２）の先端を指先で持ち上げることにより可動レバー（２）が球（３）より外れ、凸部（４）と溝付き線（６）の溝が離れて外すことができる。
他の実施例を説明する。
ネックレスの接続金具として使用する。また、ブレスレットの接続金具として使用する。
【符号の説明】
【０００９】  １  筒状金具本体
２  可動レバー
３  球
４  凸部
５  小さな筒
６  溝付き線
７  フープ本体
８  耳たぶ
９  挿入口
１０  開口部
１１  空間
【図１】
2014144236.tif 000003
【図２】
2014144236.tif 000004
【図３】
2014144236.tif 000005
【図４】
2014144236.tif 000006
【図５】
2014144236.tif 000007
(57)【要約】【課題】大きさの違う買い物袋を幾つも揃え、その置き場所がかさばったり、外出先での荷物の量の予測が難しい時などは複数を持ち歩いていた。  本発明は、荷物の量に応じ大きさを調節するサイズ調整可能な買い物袋を提供する。【解決手段】本体の袋の表面と裏面に複数段に持ち手をそれぞれ設け、本体の袋の底部中央にベルトを短手方向に渡らせ、ベルトの両端に係合部を設けたことを特徴とするサイズ調整可能な買い物袋。【選択図】図１
2014144233.tif 000002
【特許請求の範囲】
【請求項１】
本体の袋の表面と裏面に複数段に持ち手をそれぞれ設け、本体の袋の底部中央にベルトを短手方向に渡らせ、ベルトの両端に係合部を設けたサイズ調整可能な買い物袋。
【発明の詳細な説明】
【技術分野】
【０００１】  本発明は、大きさを変えられるサイズ調整可能な買い物袋に関するものである。
【背景技術】
【０００２】  従来、買い物袋は、幾つものサイズを揃え、それを複数所持していた。
【発明の概要】
【発明が解決しようとする課題】
【０００３】  大きさの違う買い物袋を幾つも揃え、その置き場所がかさばったり、外出先での荷物の量の予測が難しい時などは複数を持ち歩いていた。
本発明は、以上の問題点を解決する為になされたものである。
【課題を解決するための手段】
【０００４】  本体の袋の表面と裏面に複数段に持ち手をそれぞれ設け、本体の袋の底部中央にベルトを短手方向に渡らせ、ベルトの両端に係合部を設ける。
以上の構成によりなるサイズ調整可能な買い物袋。
【発明の効果】
【０００５】  従来大きさの違う買い物袋を幾つも揃え、荷物の量の予測が難しい時に複数持ち歩く手間を、本発明により荷物の量に応じ１つのバッグで大きさを大中小と複数段に調整する事ができる。
バッグとして使用しない時は、小さく折りたたみコンパクトに持ち歩くことが出来る。
【図面の簡単な説明】
【０００６】
【図１】  本発明の斜視図
【図２】  本発明の側面図
【図３】  本発明の使用状態を示す斜視図
【発明を実施するための形態】
【０００７】  以下、本発明の実施の形態を説明する。
本発明は、表面と裏面に複数段に持ち手をそれぞれ有し、底部を直線で設けるタイプ、両側面にマチ部を設け底面があるタイプ等の買い物袋に関するものである。
（イ）本体袋（１）の表面（２）および裏面（３）の開口部上縁近傍に上持ち手（４）を      それぞれ設ける。
（ロ）本体袋（１）の表面（２）および裏面（３）の開口部上縁から１／３〜１／４くら      いに中持ち手（５）をそれぞれ設ける。
（ハ）本体袋（１）の表面（２）および裏面（３）の開口部上縁から２／３〜３／４くら      いに下持ち手（６）をそれぞれ設ける。
（ニ）底部（７）の中央にベルト（８）を上持ち手（４）に対して直行に渡らせ、両端に      係合部（９）を設ける。ベルト（８）は底部（７）の幅よりも長い帯状の物を示し      、ベルト（８）の中央と底部（７）の中央を中心として袋本体の外側に縫い付け、      固定してある。両端、すなわち突出させた部分に設けた係合部（９）とは、スナッ      プボタン、面ファスナー等を示している。
【０００８】  本発明は以上のような構造である。
本発明を使用するときは、荷物の多い場合上持ち手（４）を使いバッグとして使用する。
また、荷物の量に応じ中持ち手（５）や下持ち手（６）を使用する。大きさの調節は、余った本体袋の布（１０）を内側に折り曲げ使用する。
【０００９】  バッグとして使用しない時は、本体袋（１）の左右をたたみ、上持ち手（４）方向から底面（７）方向にたたみ、小さくたたんだ本体袋（１）をベルト（８）でくくり、係合部（９）で留める。
【符号の説明】
【００１０】１  本体袋、２  表面、３  裏面、４  上持ち手、５  中持ち手、６  下持ち手、７  底部、８  ベルト、９  係合部、１０  余った本体袋の布
【図１】
2014144233.tif 000003
【図２】
2014144233.tif 000004
【図３】
2014144233.tif 000005
(57)【要約】      （修正有）【課題】ジャッキアップツールをジャッキ本体に収納できる構造にし、手持ち部を形成、一体化することで持ち運びを便利にする。【解決手段】ツールステイボディの長手方向に両端部に形成された挿通孔５と、ツールステイボディの長手方向に形成された両端部にもうけた挿通孔６と、ツールステイボディの幅方向に形成された固定板７と、ツールステイボディの中央に形成された固定板と、ツールステイボディの長手方向上部両端に結合されたツールステイグリップからなるジャッキアップツールステイ２。【選択図】図５
2014144852.tif 000002
【特許請求の範囲】
【請求項１】
ツールステイボディと、
前記ツールステイボディの長手方向に形成された両端部にもうけた挿通孔５と、
前記ツールステイボディの長手方向に形成された両端部にもうけた挿通孔６と、
前記ツールステイボディの幅方向に形成された固定板７と、
前記ツールステイボディの中央に形成された固定板８と、
前記ツールステイボディの長手方向上部両端に結合されたツールステイグリップ
からなるジャッキアップツールステイ。
【発明の詳細な説明】
【技術分野】
【０００１】
本発明は、ジャッキアップツールの収納構造を備えたツールステイに関するものである。
【背景技術】
【０００２】
従来、ジャッキアップ作業には、図１に示すパンタグラフ式ジャッキ１００を駆動させるジャッキアップツールが必要となる。図２に示すようにジャッキアップツールは、パンタグラフ式ジャッキ１００とは別にツールバッグ２００に収納している。
【発明の概要】
【発明が解決しようとする課題】
【０００３】
しかし、図２に示された収納状態ではジャッキアップツールはパンタグラフ式ジャッキ１００とは一体化されていないので、バラバラに持ち運ばなければならず、またジャッキアップツールがないと作業ができないためユーザーにとって不便である。
【０００４】
本発明は、このような従来の問題を解決しようとするもので、パンタグラフ式ジャッキ本体１００とジャッキアップツールを一体化するジャッキアップツールステイを提供することを目的とするものである。
【課題を解決するための手段】
【０００５】
本発明は、ツールステイボディと、
前記ツールステイボディの長手方向に形成された両端部にもうけた挿通孔５と、
前記ツールステイボディの長手方向に形成された両端部にもうけた挿通孔６と、
前記ツールステイボディの幅方向に形成された固定板７と、
前記ツールステイボディの中央に形成された固定板８と、
前記ツールステイボディの長手方向上部両端に結合されたツールステイグリップ
からなるジャッキアップツールステイを提供することにより上記課題を解決したものである。
【発明の効果】
【０００６】
本発明は、パンタグラフ式ジャッキ荷受け部に、ジャッキアップツールを挿入し固定できる挿通孔を形成したツールステイを乗せ、この挿通孔にジャッキアップツールを挿入しパンタグラフ式ジャッキ荷受け部を挟持することでパンタグラフ式ジャッキとジャッキアップツールを一体化して持ち運びができる。更に、ツールステイ上部にコの字型の手持ち部を結合し形成することで一体化で持ち運びが可能となり利便性が向上した。
【図面の簡単な説明】
【０００７】
【図１】従来のパンタグラフ式ジャッキの斜視図である。
【図２】従来のジャッキアップツールの収納形態の透視図である。
【図３】本発明に係るツールステイの斜視図である。
【図４】本発明に係るツールステイの斜視図である。
【図５】本発明に係るジャッキアップツールの収納構造図である。
【図６】図５のA−A断面における断面図である。
【発明を実施するための形態】
【０００８】
以下に図面を参照として、本発明に係るジャッキアップツールステイを説明する。
図３、４は本発明に従った収納構造を有するツールステイ２を示す斜視図である。
図３の収納構造を有するツールステイ２は、ツールステイボディ３の長手方向の両端部４に対して挿通孔５と挿通孔６の穴を有し、ツールステイボディ３長手方向上部両端にコの字形状のツールステイグリップ９を結合する。
また、図４に示す様にツールステイボディ３の側面部に固定板７と中央部に固定版８を形成している。
【０００９】
図５は、図３に示したツールステイ２とパンタグラフ式ジャッキ荷受け部１０を係合した図面である。ツールステイ２をパンタグラフ式ジャッキ荷受け部１０に乗せた状態で挿通孔５と挿通孔６よりジャッキアップツール１を二本挿入し、パンタグラフ式ジャッキ荷受け部１０をツールステイ２と挟持することによりジャッキアップツール１の収納構造とパンタグラフ式ジャッキ１００との一体化機構とし、固定板７がパンタグラフ式ジャッキ荷受け部１０との取り付け時の幅方向の隙間ができないように嵌合している。
図６が図５のA-A断面図である。ツールステイボディ３と挿入したジャッキアップツール１にパンタグラフ式ジャッキ荷受け部１０が挟持され、且つ固定板８がパンタグラフ式ジャッキ荷受け部１０との取り付け時の長手方向の隙間ができないように嵌合している。
【符号の説明】
【００１０】
１  ジャッキアップツール
２  ツールステイ
３  ツールステイボディ
４  両端部
５  挿通孔
６  挿通孔
７  固定板
８  固定板
９  ツールステイグリップ
１０  パンタグラフ式ジャッキ荷受け部
１００  パンタグラフ式ジャッキ
２００  ツールバッグ
【図１】
2014144852.tif 000003
【図２】
2014144852.tif 000004
【図３】
2014144852.tif 000005
【図４】
2014144852.tif 000006
【図５】
2014144852.tif 000007
【図６】
2014144852.tif 000008
(57)【要約】【課題】  従来のティッシュボックスは使い出してから紙の量が半分以上少なくなるとティッシュペーパーがボックスの底に沈みペーパーの「つかみしろ」がだんだん少なくなり底に沈んでしまう、取り出すのに指を中に入れたり、ボックスを逆さにしたりして苦労する。【解決手段】  ティッシュボックス本体（１）の裏底に切り込み（イ）（ロ）の２箇所を入れる、その（イ）（ロ）の部分に押上板（Ａ）面を（イ）の切り込みに差込み（Ｂ）面を（ロ）の切り込みに平行して差し込めばバネの役割をしてティッシュ量の多い少ないに関係なく取りやすい状況になる。【選択図】図３
2014144808.tif 000002
【特許請求の範囲】
【請求項１】
ティッシュボックス（１）に裏底部（イ）（ロ）の切り込み部分に押上板（２）を挿入セットされたティッシュボックス。
【請求項２】
詰替専用としたティッシュボックスに請求項１の項目を構成させたティッシュボックス。
【発明の詳細な説明】
【技術分野】
【０００１】  ティッシュボックスは開封したら常時連続して取り出せるように重ね合わせているが紙の量が少なくなってくるとティッシュの取り出し部分の「つかみしろ」がだんだん少なくなりティッシュ紙は箱の底に沈んでしまう為ティッシュを取り出しやすいように改良したボックスでる。
【背景技術】
【０００２】現状は数社のみティッシュボックスの底面にミシン目を入れてあり、紙が少なくなるとその部分を箱の内部に押し込むことでティッシュを底上げ出来るようになっているが使い勝手はけして良くない。
【発明の概要】
【発明が解決しようとする課題】
【０００３】  常にティッシュを取り出しやすいようにするには紙の多い少ないに関係なく取り出しやすい状況にすることである、よって当発明はティッシュを底から押し上げる事が出来る押上板をセットしたボックスである。
【課題を解決するための手段】
【０００４】ティッシュボックス本体図１の裏底面に切り込み（イ）切り込み（ロ）の２箇所を入れる、その（イ）（ロ）の部分に図２の押上板（Ａ面）を（イ）の切り込みに挿入し（Ｂ面）を（ロ）の切り込みに挿入すればセット完了である、この押上板は弾性力のあるポリカーポネイト等の材料を使用し、折り曲げ断面を鋭角に形成した為バネの役割をしてティッシュを押し上げて常に取り出しやすい状況にする。
【発明の効果】
【０００５】  ティッシュペーパーの残量に関係なく常に取り出しやすい「やさしい」状態で使用できる。
【発明を実施するための形態】
【０００６】  ティッシュボックス（１）の裏底面に切り込み（イ）（ロ）を入れる、その切り込みに押上板（２）を切り込み（イ）に押上板のＡ面を挿入し、（ロ）にＢ面を平行に挿入すればセット完了である、この状態がティッシュペーパーを押し上げるバネの役割をなすのである。よって常に紙の多い少ないに関係なく使いやすいボックスとなる。
【図面の簡単な説明】
【０００７】
【図１】  ティッシュボックスの裏底面に切り込みを入れた斜視図
【図２】  押上板の斜視図
【図３】  ティッシュボックスの切り込み部に押上板をセットした完成斜視図
【符号の説明】
【０００８】１  ティッシュボックス
裏底面切り込み（イ）
裏底面切り込み（ロ）
２  押上板
立上がり面をＡ、
水平面をＢ
【図１】
2014144808.tif 000003
【図２】
2014144808.tif 000004
【図３】
2014144808.tif 000005